(57)【要約】  【課題】  本発明は、ブロワを居住施設に隣接しても騒音に悩まされることがないブロワ地下埋設収納箱を提供することを目的とし、また、盗難、いたずらに対応したブロワ地下埋設収納箱、更に、多雪地域に対応したブロワ地下埋設収納箱を提供することを目的とする。  【解決手段】  本発明は、浄化槽へと空気を送気するブロワが収納される地下埋設収納箱であって、天板部分が地上露出する蓋であるブロワ地下埋設収納箱である。また、蓋が施錠可能な鍵を有するブロワ地下埋設収納箱である。  【選択図】  図１
2005296802.tif 000002
【特許請求の範囲】
【請求項１】
浄化槽へと空気を送気するブロワが収納される地下埋設収納箱であって、天板部分が地上露出する蓋であるブロワ地下埋設収納箱。
【請求項２】
請求項１において、蓋が施錠可能な鍵を有するブロワ地下埋設収納箱。
【請求項３】
請求項１又は２において、地下埋設収納箱が開口部を有し、この開口部に地上空気を地下埋設収納箱内へと取り込む吸気管を設けたブロワ地下埋設収納箱。
【請求項４】
請求項１乃至３のいずれかにおいて、地下埋設収納箱が、その側面部に空気配管の接続口を備えたブロワ地下埋設収納箱。
【請求項５】
請求項１乃至４のいずれかにおいて、地下埋設収納箱が、その底面に複数の孔を有しているブロワ地下埋設収納箱。
【発明の詳細な説明】
【技術分野】
【０００１】
本発明は、浄化槽に空気を送りこむブロワの地下埋設に使用する、ブロワ地下埋設収納箱に関する。
【背景技術】
【０００２】
従来、図４に示すように、浄化槽１に空気を送気するブロワ２は、空気配管３により浄化槽１と接続され、地上面（ＧＬ）に配置されている。大規模な浄化槽においては、ブロワ２が、配電盤等と共に居住施設から遠ざけて配置されることが多く、家庭用、小規模なアパート等においては、居住施設に隣接して設置されることが多い。
【特許文献１】特開平８−１２４１６０号公報
【発明の開示】
【発明が解決しようとする課題】
【０００３】
居住施設に隣接してブロワ２を設置した場合は、騒音の発生が大きな問題となっている。
また、ブロワ２は、空気配管３、ゴム継手４等により簡易的に接続されており、盗難、いたずら等の問題も発生している。
【０００４】
騒音問題に関しては、ブロワ２に対してカバー５を被せることが実施されているが、このカバー５は、ブロワ２よりも大きくする必要があり、地上設置であると土地の有効活用ができない。更に、カバーをするのみでは、盗難、いたずら等に対応できていない。
【０００５】
また別の問題として、多雪地域では、地上設置されたブロワ２の上に大量の積雪があると、ブロワ２がカバー５と共に雪に埋もれてしまい、吸気を行う部分が閉塞することで浄化槽１へと十分な空気を送気できず、水質悪化の原因となってしまう。
【０００６】
本発明は、ブロワを居住施設に隣接しても騒音に悩まされることがないブロワ地下埋設収納箱を提供することを目的とし、また、盗難、いたずらに対応したブロワ地下埋設収納箱、更に、多雪地域に対応したブロワ地下埋設収納箱を提供することを目的とする。
【課題を解決するための手段】
【０００７】
（１）本発明は、浄化槽へと空気を送気するブロワが収納される地下埋設収納箱であって、天板部分が地上露出する蓋であるブロワ地下埋設収納箱である。
（２）また、項（１）において、蓋が施錠可能な鍵を有するブロワ地下埋設収納箱である。
（３）また、項（１）又は（２）において、地下埋設収納箱が開口部を有し、この開口部に地上空気を地下埋設収納箱内へと取り込む吸気管を設けたブロワ地下埋設収納箱である。
（４）また、項（１）乃至（３）のいずれかにおいて、地下埋設収納箱が、その側面部に空気配管の接続口を備えたブロワ地下埋設収納箱である。
（５）また、項（１）乃至（４）のいずれかにおいて、地下埋設収納箱が、その底面に複数の孔を有しているブロワ地下埋設収納箱である。
【発明の効果】
【０００８】
本発明によれば、ブロワ地下埋設収納箱を用いてブロワを設置することにより、ブロワを地上設置した場合に比べ騒音を低減することができ、施錠を行うことで盗難・いたずら防止を行え、吸気管を設置することで積雪時のブロワの機能低下防止を図ることを実現することができる。
【発明を実施するための最良の形態】
【０００９】
本発明のブロワ地下埋設収納箱の材質は、ＦＲＰ、ＰＶＣ、ＰＰ、ＰＥ、ＡＢＳ、又は、ＤＣＰＤ等の樹脂製、防錆処理を施した鉄、アルミニウム、ステンレス等、耐食性に優れたものを使用することができる。
【００１０】
本発明の地下埋設収納箱の大きさは、特に限定されるものではなく、内部に設置するブロワにより決定される。
【００１１】
本発明にて述べる鍵は、施錠を行うことができるものであれば、鍵式又はダイヤル式等様々なものを使用することができ、特に限定されるものではない。また、ブロワ地下埋設収納箱の内面には、吸音材を設けることが好ましい。
【００１２】
本発明にて述べる複数の孔は、主にブロワ地下埋設収納箱内に水が溜まらないようにする排水孔として使用され、その形状が格子状又は千鳥状の複数孔であることが好ましい。また、側面部に設ける空気配管の接続口は、１側面だけに設けてもよいが、複数面に設けることが好ましく、複数面に設けることで、設置現場での配管取り回し等が容易になる。特に好ましいのは、隣接する２つの側面に設けることである。
【００１３】
本発明の１実施例について、図１を用いて説明する。図１はブロワ地下埋設収納箱（以下、「収納箱」と言う。）の概要をあらわした斜視図である。本実施例では、家庭用の浄化槽に用いる風量８０Ｌ/分の電磁式ブロワを用いることとし、収納箱６の大きさは、縦４００×横４００ｍｍ×高さ３００ｍｍとした。収納箱６は、底板７と、４面の側壁８と、蓋１１とを備えており、ＦＲＰ成形品により製作した。
【００１４】
底板７は、千鳥形状に孔が加工されており、排水性を確保している。また、４面の側壁８のうち隣接する２面に、空気管およびブロワ２と接続される接続口１０を設けている。本実施例では、ブロワ２の吐出口が２口のものであることから、接続口１０を１側面に対し２個設けている。接続口１０先端は、使用する際に取り外し可能なキャップ１９が取付けられており、キャップの色を変えることで誤配管を防止している。そして、側壁８の厚みは約５ｍｍとして、ここに厚さ１０ｍｍの吸音材９を貼り付けている。
【００１５】
蓋１１は、一辺にひんじ２０、２０を取付けて側壁８に固定されており、開閉可能となっている。ひんじを設けた一辺に対向する一辺には、鍵ユニット１２が固定されており、収納箱６の蓋１１を施錠できるようにしてある。蓋１１と４面の側壁８との間には、パッキン２１があり、本ボックス６の水密性を確保している。また、蓋１１には、ブロワ２の電源コードを引き出すため直径３０ｍｍの貫通孔１４が設けられており、この貫通孔１４の縁部に電源コードを傷つけないようにゴムブッシュ１５を配置している。更に、蓋１１には、吸気管１７（図２参照）を接続するために直径約４０ｍｍの吸気口１３（ねじ孔）が１個設けられている。蓋１１の厚みは、約５ｍｍ（吸気口部分は１５ｍｍ）であり、内面に厚み１０ｍｍの吸音材９が貼られている。
【００１６】
本発明に使用される浄化槽およびブロワは、限定されるものではない。図２に本発明の１実施例である収納箱６を施工した例の断面図を示す。浄化槽施工時は、収納箱６の蓋１１が、ＧＬ面となるように設置する。その際、収納箱６の底面下部は、収納箱内に浸水があった際にも適宜排水できるようコンクリートを打設せず、土のままとしておく。浄化槽１の空気配管作業時に、浄化槽１から配管した空気配管３を収納箱６の接続口１０へ接続する。
【００１７】
収納箱６は、浄化槽１の埋設作業時に地中に埋設する。収納箱６の蓋１１周囲には、設置現場の状況によりコンクリートスラブを打設する。その後、収納箱６内にブロワ２を収納し、接続口１０にブロワ２をゴム継手などにより接続する。ブロワ２の電源コードは、蓋１１に形成された貫通孔１４を通し収納箱６外へ引出し、所定の電源１６へ接続する。この際、貫通孔１４には、シール性を考慮したゴムブッシュ１５を用いたり、シール剤の塗布などにより水密性を確保する。
【００１８】
収納箱６にブロワ２を設置した後、蓋１１を閉じ施錠をする。更に蓋上面に設けられた吸気口１３へ雨水の侵入を防止した形状の吸気管１７を接続し施工は完了となる。ここで、冬場に積雪量が多い地域であり、収納箱６の上部に積雪が懸念される設置場所においては、図３に示すように、吸気管の長いタイプのもの１８を使用することにより積雪時にもブロワへの吸気を確保することが可能となる。また、吸気管１７、１８は、蓋上面へねじ込みながら固定され、メンテナンス時には取り外せる構造となっている。このように、設置された状態にて、空気は吸気管１７、１８から吸い込まれ、ブロワ２を経て浄化槽１へ送気される。
【００１９】
このようにして、ブロワ２を収納箱６に設置したことにより、ブロワ２の騒音値が地上設置にて３６〜４０ｄｂであったものが、２８〜３２ｄｂに低減することができ、蓋１１を施錠することにより、ブロワ２の盗難・いたずら防止を図ることができた。
【図面の簡単な説明】
【００２０】
【図１】本発明の実施例におけるブロワ地下埋設収納箱の概要図。
【図２】本発明の実施例におけるブロワ地下埋設収納箱を用いたブロワの設置例。
【図３】本発明の他の実施例におけるブロワ地下埋設収納箱を用いたブロワの設置例。
【図４】従来例を示すブロワの設置例。
【符号の説明】
【００２１】
１…浄化槽、２…ブロワ、３…空気配管、４…ゴム継手、５…カバー、６…ブロワ地下埋設収納箱、７…底板、８…側壁、９…吸音材、１０…接続口、１１…蓋、１２…鍵ユニット、１３…吸気口、１４…貫通孔、１５…ゴムブッシュ、１６…電源、１７…吸気管、１８…積雪地域用吸気管、１９…キャップ、２０…ひんじ、２１…パッキン
【図１】
2005296802.tif 000003
【図２】
2005296802.tif 000004
【図３】
2005296802.tif 000005
【図４】
2005296802.tif 000006